(57)【要約】【課題】  支柱を直線状に並べて設置するのが容易で、手摺支持ブラケットを適切な状態で配置することも容易な柵の提供。【解決手段】  支柱１，１，…と、支柱１間に架設した手摺２と、手摺支持ブラケット３を備え、支柱１は、前面部４と後面部５と左右の側面部６，６とを有し、コーナー部に前後方向に突出する突部７が長手方向に沿って設けてあり、手摺支持ブラケット３は、支柱１の前面部４又は後面部５に突部７，７間に嵌合して取付けてある。【選択図】      図１
2014118799.tif 000002
【特許請求の範囲】
【請求項１】
支柱と、支柱間に架設した手摺と、手摺支持ブラケットを備え、支柱は、前面部と後面部と左右の側面部とを有し、コーナー部に前後方向に突出する突部が長手方向に沿って設けてあり、手摺支持ブラケットは、支柱の前面部又は後面部に突部間に嵌合して取付けてあることを特徴とする柵。
【発明の詳細な説明】
【技術分野】
【０００１】
本発明は、間隔をおいて立設した支柱に手摺を架設した柵に関する。
【背景技術】
【０００２】
従来の柵は、円柱状の支柱を地面に間隔をおいて設置し、支柱に手摺支持ブラケットを取付け、手摺支持ブラケットに固定して手摺を支柱間に架設している（例えば、非特許文献１参照。）。
このような従来の柵では、支柱を設置する際、支柱が円柱状で位置決めになる部分がないため、支柱同士を直線状に並べることが難しかった。また、手摺支持ブラケットの取付く部分を同じ向きに合わせるのも容易でなく、手摺支持ブラケットを適切な状態で設置することも難しかった。
【先行技術文献】
【特許文献】
【０００３】
【非特許文献１】「三協アルミ  パブリックエクステリア総合カタログ」（カタログＮｏ．ＳＴＸ０６４０Ｂ  Ｓ．１２．０６−０６３）、三協立山株式会社  三協アルミ社、２０１２年６月、ｐ．５６３
【発明の概要】
【発明が解決しようとする課題】
【０００４】
本発明は以上に述べた実情に鑑み、支柱を直線状に並べて設置するのが容易で、手摺支持ブラケットを適切な状態で配置することも容易な柵の提供を目的とする。
【課題を解決するための手段】
【０００５】
上記の課題を達成するために請求項１記載の発明による柵は、支柱と、支柱間に架設した手摺と、手摺支持ブラケットを備え、支柱は、前面部と後面部と左右の側面部とを有し、コーナー部に前後方向に突出する突部が長手方向に沿って設けてあり、手摺支持ブラケットは、支柱の前面部又は後面部に突部間に嵌合して取付けてあることを特徴とする。
【発明の効果】
【０００６】
請求項１記載の発明による柵は、支柱のコーナー部に突部があることによって、支柱同士を直線状に並べる際の位置決めと支柱に手摺支持ブラケットを配置するときの位置決めができるので、支柱を直線状に並べて配置すること、及び手摺支持ブラケットを適切な状態で配置するのが容易である。そして、側面方向から手摺支持ブラケットと支柱との嵌合部が見えないので、意匠性が良い。
【図面の簡単な説明】
【０００７】
【図１】図４のＹ−Ｙ断面図である。
【図２】図４のＸ−Ｘ断面図である。
【図３】図４のＡ部拡大図である。
【図４】本発明の柵の第１実施形態を示す正面図である。
【図５】本発明の柵の第２実施形態を示す正面図である。
【図６】図５のＢ部拡大図である。
【図７】（ａ）は第１実施形態に用いる手摺支持ブラケットの作り方を示す正面図と側面図、（ｂ）は第２実施形態に用いる手摺支持ブラケットの作り方を示す正面図と側面図である。
【図８】本発明の柵の第３実施形態を示す正面図である。
【図９】本発明の柵の第４実施形態を示す正面図である。
【発明を実施するための形態】
【０００８】
以下、本発明の実施の形態を図面に基づいて説明する。図１〜４は、本発明の柵の第１実施形態であって、屋外の通路等の脇に落下防止等の目的で設置される柵を示している。この柵は、図４に示すように、地面に複数の支柱１，１，…が直線状に並べて設置してあり、各支柱１の上端部には笠木支持ブラケット８が取付けられ、笠木支持ブラケット８に支持して笠木９が支柱１間に水平に架設してあり、各支柱１の前面部４には手摺支持ブラケット３が取付けられ、手摺支持ブラケット３に支持して手摺２が支柱１間に水平に架設してある。
【０００９】
支柱１は、アルミニウム合金の押出形材よりなり、図１に示すように、前面部４と後面部５と左右の側面部６，６とを有する略四角形の中空断面となっており、４か所のコーナー部には前後方向に突出する突部７が長手方向に沿って設けてある。支柱１は、断面の中心に対して左右対称で且つ前後対称になっている。
前面部４と後面部５は、左右の突部７の先端より１０ｍｍ奥まった位置にフラットに形成されている。左右の側面部６は、外側に若干膨らむように円弧状に湾曲しており、側面部６の表面には細かい凹凸１０が長手方向に連続して多数形成されている。このように、側面部６の表面に細かい凹凸１０が形成されていることで、側面部６によごれが付きにくく、また側面部６に貼り紙が貼られるのを防止できる。さらに、側面部６が円弧状に湾曲していることと表面に細かい凹凸１０が形成されていることにより、光が反射して陰影ができるため、意匠性がよい。
【００１０】
笠木支持ブラケット８は、図２，３に示すように、支柱１の上端部に嵌合させてネジ１１にて固定される支柱キャップ１２と、支柱キャップ１２にボルト・ナット１３で取付けられるＶ字形の連結材１４とで構成されている。支柱キャップ１２は、アルミの鋳物で形成され、連結材１４はアルミの形材で形成されている。
笠木９は、アルミの形材で形成したもので、図２に示すように、楕円形の中空断面となっており、下面側には溝部１５が形成されている。溝部１５の内部には、溝深さ方向の中間の位置に前後の壁からフィン１８が突出して形成されている。
笠木９と笠木支持ブラケット８との固定は、笠木９の内部にスチール製でナット１６が溶接されたコ字形の裏板１７を配置し、笠木９の溝部１５内のフィン１８を部分的に切除して笠木支持ブラケット８のＶ字形の連結材１４の上端部１４ａを笠木９の溝部１５の奥まで差し込み、メック加工をしたネジ１９を連結材１４と笠木９に挿通し、裏板１７のナット１６に螺合することで固定している。このように、笠木支持ブラケット８と笠木９を、メック加工したネジ１９にてナット付の裏板１７と締結することで、風による振動にて起こると考えられるネジ１９の脱落、ひいては笠木９の脱落を防止することができる。また、笠木９の溝部１５内のフィン１８を切除した箇所に笠木支持ブラケット８を差し込んでいるため、笠木９が長手方向にずれるのを防止できる。笠木９の継ぎ目部は、筒状のスリーブ２０を被せて隠してあり、スリーブ２０はネジ２１にて固定してある。
【００１１】
手摺支持ブラケット３は、図１〜３に示すように、支柱１に取付けられる板状の基部２２と、手摺２が挿入される筒状部２３と、基部２２と筒状部２３を繋ぐアーム部２４とを一体に備えている。この手摺支持ブラケット３は、図７（ａ）に示すように、アルミニウム合金製の押出形材２５を長手方向（押出方向）に直角な２面２６，２６で切断して形成したものである。
手摺支持ブラケット３の支柱１への取付けは、図１に示すように、支柱１内にナット２７を溶接した裏板２８を配置しておき、手摺支持ブラケット３の基部２２を支柱１の突部７，７間に嵌合させて支柱１の前面部４に当接させ、メック加工したネジ２９を手摺支持ブラケット３の基部２２と支柱１の前面部４に挿通し、裏板２８のナット２７に螺合することで固定している。このように、手摺支持ブラケット３と支柱１を、メック加工したネジ２９にてナット付の裏板２８と締結することで、風による振動にて起こると考えられるネジ２９の脱落、ひいては手摺支持ブラケット３の脱落を防止することができる。手摺支持ブラケット３の基部２２とネジ２９の頭は、図１，２に示すように、側面視では支柱１の突部７に隠れて見えない。
手摺２は、アルミニウム合金の押出形材で円形断面のパイプ状に形成されている。手摺２の手摺支持ブラケット３への固定は、手摺２を手摺支持ブラケット３の筒状部２３に挿入し、メック加工したネジ３０を手摺支持ブラケット３の筒状部２３と手摺２に挿通し、手摺２内に配置したステンレスパイプ３１の雌ネジ孔に螺合することで固定している。このように、手摺支持ブラケット３と手摺２を、メック加工したネジ３０にてステンレスパイプ３１と締結することで、風による振動にて起こると考えられるネジ３０の脱落、ひいては手摺２の脱落を防止することができる。
【００１２】
支柱１を地面に立設する際には、図１に示すように、支柱１の前側又は後ろ側の２か所の突部７，７の先端を、あらかじめ張っておいた水糸３２に接するように支柱１を配置する。これにより、複数の支柱１，１，…を一直線に並べて配置することができる。また、このように突部７，７の先端が水糸３２に接するように支柱１を配置すれば、すべての支柱１の向きも一致させられ、手摺支持ブラケット３が取付けられる支柱１の前面部４が水糸３２と平行で且つ前後方向の出入りも一致するから、手摺支持ブラケット３を適切な状態で配置することができ、柵の真直性を出すのが容易である。
【００１３】
以上に述べたように本実施形態の柵は、支柱１のコーナー部に突部７があることによって、支柱１同士を直線状に並べる際の位置決めと支柱１に手摺支持ブラケット３を配置するときの位置決めができるので、支柱１を直線状に並べて配置すること、及び手摺支持ブラケット３を適切な状態で配置するのが容易である。そして、側面方向から手摺支持ブラケット３と支柱１との嵌合部が見えないので、意匠性が良い。また、支柱１のコーナー部に前後方向に突出した突部７が設けてあることで、単なる筒状の支柱と比べて前後方向からの荷重に対する強度が高い。各部材がアルミで形成してあるため、塩害に強い。
【００１４】
図５，６は、本発明の手摺の第２実施形態であって、階段３３に設ける柵の場合を示している。柵の構成は第１実施形態のものと同様であり、笠木９と手摺２が階段３３の勾配と平行になるように支柱１間に傾斜して架設されている。
笠木支持ブラケット８は、第１実施形態のものと同一のものを用いており、図６に示すように、ボルト・ナット１３による連結部を支点としてＶ字状の連結材１４を適宜傾けることで、笠木９を傾斜して取付けできるようにしている。笠木９の笠木支持ブラケット８への取付け方は第１実施形態と同様であり、笠木９の溝部１５内のフィン１８を切除した箇所に笠木支持ブラケット８を差し込んでいるため、笠木９を傾斜して取付ける場合でも笠木９が長手方向にずれるのを防止できる。
【００１５】
手摺支持ブラケット３は、図７（ｂ）に示すように、手摺２を水平に設置する場合（第１実施形態）の手摺支持ブラケット３と同じアルミニウム合金の押出形材２５を切断することで形成している。より詳細には、基部２２とアーム部２４は形材２５の長手方向に対して傾斜した２面３４ａ，３４ａで切断し、筒状部２３は形材２５の長手方向に直角な２面３４ｂ，３４ｂで切断している。このように、手摺２を水平に設置する場合の手摺支持ブラケット３と手摺２を傾斜して設置する場合の手摺支持ブラケット３とを、同一の形材２５を切断することで形成したので、コストを削減できる。また、切断するときの角度を変えるだけで、様々な手摺２の傾斜角度に対応することができる。
【００１６】
支柱１のコーナー部に突部７があることで、支柱１を一直線に並べて配置するのが容易である点、手摺支持ブラケット３を適切な状態で配置するのが容易である点は、第１実施形態と同様である。手摺支持ブラケット３の基部２２が支柱１の突部７，７間に嵌合していることで、手摺支持ブラケット３を目立たなくできると共に、手摺支持ブラケット３の傾きを規制できる。
【００１７】
図８は、本発明の柵の第３実施形態を示している。この柵は、支柱１に手摺支持ブラケット３及び手摺２を上下方向に間隔をおいて２つ取付けている。
図９は、本発明の柵の第４実施形態を示している。この柵は、支柱１に手摺支持ブラケット３及び手摺２を上下方向に間隔をおいて３つ取付けている。
図８，９は、手摺２を水平に取付ける場合を示しているが、第２実施形態のように手摺２を傾斜して取付ける場合でも、手摺２を上下２段ないし３段設けることができる。
【００１８】
本発明は以上に述べた実施形態に限定されない。各部材の具体的な形状、材質等は、適宜変更することができる。柵の設置目的や設置場所は、特に限定されない。
【符号の説明】
【００１９】
１  支柱
２  手摺
３  手摺支持ブラケット
４  前面部
５  後面部
６  側面部
７  突部
【図１】
2014118799.tif 000003
【図２】
2014118799.tif 000004
【図３】
2014118799.tif 000005
【図４】
2014118799.tif 000006
【図５】
2014118799.tif 000007
【図６】
2014118799.tif 000008
【図７】
2014118799.tif 000009
【図８】
2014118799.tif 000010
【図９】
2014118799.tif 000011